【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
遊技者に対する有利度を変更可能な遊技機であって、
遊技機の前面に設けられた開閉可能な開閉体と、
前記開閉体が開放状態であるときに操作可能となる操作手段と、
前記開閉体の開閉状態を検出する開閉状態検出手段と、
複数種類の設定値のうちからいずれかの設定値を選択することで前記有利度を変更可能な設定変更状態に制御するために前記操作手段が特定操作されたことを検出する特定操作検出手段と、
前記開閉状態検出手段により前記開閉体が開放状態であることが検出され、かつ前記特定操作検出手段により前記特定操作されたことが検出されたときには、前記設定変更状態に制御し、前記開閉体が開放状態でないことが検出されたときには、前記設定変更状態に制御しない状態制御手段と、
前記設定値を表示する設定値表示部と、
前記設定変更状態において、前記設定値を変更するための変更操作を検出可能な変更操作検出手段とを備え、
前記状態制御手段は、前記設定変更状態に制御した後においては、当該設定変更状態における前記開閉状態検出手段の検出結果に関わらず、前記設定変更状態を終了させる設定終了条件が成立するまで当該設定変更状態を維持し、
前記設定値表示部は、前記設定変更状態においては、当該設定変更状態における前記開閉状態検出手段の検出結果に関わらず前記開閉体が開放状態および閉鎖状態のうちのいずれであっても、前記設定値を表示し続け、
前記変更操作検出手段は、前記設定変更状態においては、当該設定変更状態における前記開閉状態検出手段の検出結果に関わらず、前記変更操作検出手段が前記変更操作されたことを検出することを特徴とする、遊技機。
【手続補正２】
【補正対象書類名】明細書
【補正対象項目名】０００９
【補正方法】変更
【補正の内容】
【０００９】
（１）遊技者に対する有利度（たとえば設定値）を変更可能な遊技機（スロットマシン、パチンコ機など）であって、
遊技機の前面に設けられた開閉可能な開閉体（前面扉１ｂ、本体枠９１４）と、
前記開閉体が開放状態であるときに操作可能となる操作手段（電源スイッチ３９、設定キースイッチ３７）と、
前記開閉体の開閉状態を検出する開閉状態検出手段（ドア開放検出スイッチ２５、本体枠開放検出スイッチ９２５）と、
複数種類の設定値のうちからいずれかの設定値を選択することで前記有利度を変更可能な設定変更状態に制御するために前記操作手段が特定操作されたことを検出する特定操作検出手段と、
前記開閉状態検出手段により前記開閉体が開放状態であることが検出され、かつ前記特定操作検出手段により前記特定操作されたことが検出されたときには、前記設定変更状態に制御し（Ｓａ２８に移行）、前記開閉体が開放状態でないことが検出されたときには、前記設定変更状態に制御しない（Ｓａ２７ｃに移行）状態制御手段（Ｓａ２７ｂ、Ｓａ２７ｃ、Ｓａ２８、Ｓａ２９、図２８など）と、
前記設定値を表示する設定値表示部と、
前記設定変更状態において、前記設定値を変更するための変更操作を検出可能な変更操作検出手段とを備え、
前記状態制御手段は、前記設定変更状態に制御した後においては、当該設定変更状態における前記開閉状態検出手段の検出結果に関わらず、前記設定変更状態を終了させる設定終了条件が成立（図２８のＳｃ１１においてＹＥＳ）するまで当該設定変更状態を維持し（図２８参照）、
前記設定値表示部は、前記設定変更状態においては、当該設定変更状態における前記開閉状態検出手段の検出結果に関わらず前記開閉体が開放状態および閉鎖状態のうちのいずれであっても、前記設定値を表示し続け、
前記変更操作検出手段は、前記設定変更状態においては、当該設定変更状態における前記開閉状態検出手段の検出結果に関わらず、前記変更操作検出手段が前記変更操作されたことを検出する。
【手続補正３】
【補正対象書類名】明細書
【補正対象項目名】００１０
【補正方法】変更
【補正の内容】
【００１０】
このような構成によれば、開閉体の開閉状態を検出し、開閉体が開放状態でないことが検出されたときには、設定変更状態に制御されることがない。すなわち、本来であれば開閉体が開放状態でなければ、操作手段を操作できず特定操作が行なわれないところ、特定操作が検出されたときに開閉体が開放状態となっておらず不正行為が行なわれた可能性があるときには、設定変更状態に制御されることがない。これにより、不正行為によって設定変更状態に制御されて、設定変更が行なわれることを確実に防止することができる。
【手続補正４】
【補正対象書類名】明細書
【補正対象項目名】００１１
【補正方法】変更
【補正の内容】
【００１１】
また、開閉体が開放状態であるときにおいて操作手段が特定操作されたときには、設定変更状態に制御し、その後設定終了条件が成立するまで当該設定変更状態が維持される。このため、不正行為ではなく正規に操作が行なわれて設定変更状態に制御された後においては、設定変更途中において仮に遊技場管理者の手が開閉状態検出手段に触れるなどして、開閉体が開放状態でないと判定されたとしても、当該設定変更状態を維持させて、確実に設定変更を行なうことができる。
【手続補正５】
【補正対象書類名】明細書
【補正対象項目名】００１４
【補正方法】変更
【補正の内容】
【００１４】
また、操作手段が特定操作されたときに開閉体の開放状態を検出するものであってもよく、開閉体が閉状態となっているときに操作手段が特定操作されたか否かを検出するものであってもよい。
【手続補正６】
【補正対象書類名】明細書
【補正対象項目名】００４１
【補正方法】変更
【補正の内容】
【００４１】
（８）  前記特定操作検出手段により前記特定操作されたことが検出されたときにおいて、前記開閉状態検出手段により前記開閉体が開放状態でないことが検出されたときに、遊技の進行を不能動化する不能動化手段（Ｓａ２７ｃ、Ｓａ２７ｃ’、Ｓｅ２２ａ〜Ｓｅ２２ｃ、Ｓｅ３５ｂ）を備える。
【手続補正７】
【補正対象書類名】明細書
【補正対象項目名】００４５
【補正方法】変更
【補正の内容】
【００４５】
（１０）  表示状態を変化させることが可能な可変表示装置（リール２Ｌ、２Ｃ、２Ｒ）と、
前記可変表示装置の表示結果として特定表示結果（ボーナス）が導出されたことに基づいて、遊技者にとって有利な状態（ボーナス）に制御する有利制御手段と、
選択されている設定値から特定される確率にしたがって、前記特定表示結果の導出を許容するか否かを決定する事前決定手段（内部抽選）と、
前記特定表示結果の導出を許容する旨が決定され、前記特定表示結果が導出されなかったときに当該特定表示結果の導出を許容する旨の決定を次ゲーム以降に持ち越す持越手段と、
前記持越手段により前記特定表示結果の導出を許容する旨の決定が持ち越されている場合において、前記操作手段が前記特定操作されたときには、当該特定表示結果の導出を許容する旨の決定を消去する消去手段（初期化１）とを備える。
【手続補正８】
【補正対象書類名】明細書
【補正対象項目名】００４６
【補正方法】変更
【補正の内容】
【００４６】
このような構成によれば、操作手段が特定操作されたときには、不正行為であるか否かに関わらず、特定表示結果の導出を許容する旨の決定が消去される。このため、特定操作される前の遊技状態を特定操作された後に引き継がれることを防止することができ、遊技の公平性を担保することができる。